【事件の表示】
　特許第５７６００１４号発明「積層塗膜」の特許異議申立事件について、次のとおり決定する。
【結　論】
　特許第５７６００１４号の特許請求の範囲を訂正請求書に添付された訂正特許請求の範囲のとおり訂正後の請求項１及び２について訂正することを認める。
　特許第５７６００１４号の請求項１及び２に係る特許を維持する。
【理　由】
１．手続の経緯
　特許第５７６００１４号の請求項１及び２に係る特許についての出願は、平成２５年１月１６日に特許出願され、平成２７年６月１２日にその特許権の設定登録がされ、その後、その請求項１及び２に係る特許について、特許異議申立人森川淳により特許異議の申立てがなされ、平成２８年４月６日付けで取消理由が通知され、その指定期間内である平成２８年６月７日に意見書の提出及び訂正の請求がなされ、平成２８年７月８日に特許異議申立人から意見書の提出がなされたものである。
　
２．訂正の適否についての判断
（１）訂正の内容
ア　訂正事項１
　特許請求の範囲の請求項１に「最表層の塗膜が親水性塗膜であり」とあるのを、「最表層の塗膜が無機系親水性塗料からなる親水性塗膜であり」に訂正する。
イ　訂正事項２
　特許請求の範囲の請求項１に「最表層の塗膜の下層に、脂環構造を有する単量体を含有する単量体成分を重合させてなる重合体を含有する塗膜が少なくとも２層形成されてなり」とあるのを
「最表層の塗膜の下層に、重合体を含有し、当該重合体が脂環構造を有する単量体を含有する単量体成分を重合させてなる重合体である塗膜が少なくとも２層形成されてなり」に訂正する。
ウ　訂正事項３
　特許請求の範囲の請求項２に「シクロアルキル基の炭素数が４〜２０のシクロアルキル（メタ）アクリレートおよびシクロアルキル基の炭素数が４〜２０のシクロアルキルアルキル（メタ）アクリレートからなる群より選ばれた少なくとも１種の脂環構造を有する単量体を５〜１００質量％の含有量で含有する単量体成分を重合させてなる重合体を含有する塗膜」とあるのを
「塗膜に含有される重合体が、シクロアルキル基の炭素数が４〜２０のシクロアルキル（メタ）アクリレートおよびシクロアルキル基の炭素数が４〜２０のシクロアルキルアルキル（メタ）アクリレートからなる群より選ばれた少なくとも１種の脂環構造を有する単量体を５〜１００質量％の含有量で含有する単量体成分を重合させてなる重合体である塗膜」に訂正する。
エ　訂正事項４
　特許請求の範囲の請求項２に「最表層の塗膜として親水性塗膜を形成させる」とあるのを、「最表層の塗膜として無機系親水性塗料からなる親水性塗膜を形成させる」に訂正する。
　
（２）訂正の目的の適否、新規事項の有無、及び特許請求の範囲の拡張・変更の存否
ア　訂正事項１
　訂正事項１の「最表層の塗膜が無機系親水性塗料からなる親水性塗膜であり」は、本件特許明細書の段落【０１１３】の「親水性塗膜を形成させる際には、親水性塗料を用いることができる。親水性塗料は、最表層の塗膜として親水性の塗膜を形成するものであればよく、特に限定されない。親水性塗料としては、例えば、・・・無機系親水性塗料などが挙げられるが、本発明は、かかる例示のみに限定されるものではない。これらの親水性塗料のなかでは、少量で効率よく親水性を付与する観点から、界面活性剤、コロイダルシリカなどのコロイド溶液、アルミナゾルなどを含有する無機系親水性塗料が好ましい。」の記載に基づくものであり、訂正事項１は、特許請求の範囲の減縮を目的とし、新規事項の追加に該当せず、実質上特許請求の範囲を拡張し、又は変更するものでもない。
イ　訂正事項２
　訂正事項２は、本件特許明細書の段落【０００９】〜【００１１】を踏まえて、請求項１の「最表層の塗膜の下層に、脂環構造を有する単量体を含有する単量体成分を重合させてなる重合体を含有する塗膜が少なくとも２層形成されてなり」を「最表層の塗膜の下層に、重合体を含有し、当該重合体が脂環構造を有する単量体を含有する単量体成分を重合させてなる重合体である塗膜が少なくとも２層形成されてなり」とするもので、明瞭でない記載の釈明を目的とし、新規事項の追加に該当せず、実質上特許請求の範囲を拡張し、又は変更するものでもない。
ウ　訂正事項３
　訂正事項３は、本件特許明細書の段落【０００９】〜【００１１】を踏まえて、請求項２の「シクロアルキル基の炭素数が４〜２０のシクロアルキル（メタ）アクリレートおよびシクロアルキル基の炭素数が４〜２０のシクロアルキルアルキル（メタ）アクリレートからなる群より選ばれた少なくとも１種の脂環構造を有する単量体を５〜１００質量％の含有量で含有する単量体成分を重合させてなる重合体を含有する塗膜」を「塗膜に含有される重合体が、シクロアルキル基の炭素数が４〜２０のシクロアルキル（メタ）アクリレートおよびシクロアルキル基の炭素数が４〜２０のシクロアルキルアルキル（メタ）アクリレートからなる群より選ばれた少なくとも１種の脂環構造を有する単量体を５〜１００質量％の含有量で含有する単量体成分を重合させてなる重合体である塗膜」とするもので、明瞭でない記載の釈明を目的とし、新規事項の追加に該当せず、実質上特許請求の範囲を拡張し、又は変更するものでもない。
エ　訂正事項４
　訂正事項４の「最表層の塗膜として無機系親水性塗料からなる親水性塗膜を形成させる」は、本件特許明細書の段落【０１１３】の「親水性塗膜を形成させる際には、親水性塗料を用いることができる。親水性塗料は、最表層の塗膜として親水性の塗膜を形成するものであればよく、特に限定されない。親水性塗料としては、例えば、・・・無機系親水性塗料などが挙げられるが、本発明は、かかる例示のみに限定されるものではない。これらの親水性塗料のなかでは、少量で効率よく親水性を付与する観点から、界面活性剤、コロイダルシリカなどのコロイド溶液、アルミナゾルなどを含有する無機系親水性塗料が好ましい。」の記載に基づくものであり、訂正事項４は、特許請求の範囲の減縮を目的とし、新規事項の追加に該当せず、実質上特許請求の範囲を拡張し、又は変更するものでもない。
　
（３）むすび
　以上のとおりであるから、本件訂正請求による訂正は特許法第１２０条の５第２項第１号及び第３号に掲げる事項を目的とするものであり、かつ、同条第９項において準用する同法第１２６条第４項から第６項までの規定に適合するので、訂正後の請求項１及び２についての訂正を認める。
　
３．特許異議の申立てについて
（１）本件発明
　本件訂正請求により訂正された訂正請求項１及び２に係る発明（以下「本件発明１及び２」という。）は、その特許請求の範囲の請求項１及び２に記載された次の事項により特定されるとおりのものである。
　「【請求項１】
　少なくとも３層の塗膜を有する積層塗膜であって、最表層の塗膜が無機系親水性塗料からなる親水性塗膜であり、当該最表層の塗膜の下層に、重合体を含有し、当該重合体が脂環構造を有する単量体を含有する単量体成分を重合させてなる重合体である塗膜が少なくとも２層形成されてなり、前記単量体成分がシクロアルキル基の炭素数が４〜２０のシクロアルキル（メタ）アクリレートおよびシクロアルキル基の炭素数が４〜２０のシクロアルキルアルキル（メタ）アクリレートからなる群より選ばれた少なくとも１種の脂環構造を有する単量体を５〜１００質量％の含有量で含有する単量体成分であることを特徴とする積層塗膜。
　【請求項２】　
　少なくとも３層の塗膜を有する積層塗膜の製造方法であって、塗膜に含有される重合体が、シクロアルキル基の炭素数が４〜２０のシクロアルキル（メタ）アクリレートおよびシクロアルキル基の炭素数が４〜２０のシクロアルキルアルキル（メタ）アクリレートからなる群より選ばれた少なくとも１種の脂環構造を有する単量体を５〜１００質量％の含有量で含有する単量体成分を重合させてなる重合体である塗膜を少なくとも２層形成させた後、最表層の塗膜として無機系親水性塗料からなる親水性塗膜を形成させることを特徴とする積層塗膜の製造方法。」
　
（２）取消理由の概要
　訂正前の請求項１及び２に係る特許に対して平成２８年４月６日付けで特許権者に通知した取消理由は、要旨次のとおりである。
　
　本件特許の請求項１及び２に係る発明は、その出願前日本国内または外国において頒布された下記の刊行物に記載された発明に基いて、その出願前にその発明の属する技術の分野における通常の知識を有する者が容易に発明をすることができたものであるから、特許法第２９条第２項の規定により特許を受けることができない。  
 　　　　　　　　　　　　　　　　記  
甲第１号証　特開２０００−１８５３６８号公報  
甲第２号証　特許第３９８７２１７号公報  
甲第３号証　特開２００３−９６２６１号公報  
甲第４号証　特許第４８１２９０２号公報  
 　  
（３）甲号証の記載
　甲第１号証（特開２０００−１８５３６８号公報）には、以下の記載がある。
「【特許請求の範囲】
【請求項１】基材の表面に、メタクリル酸エステル構造単位を必須構造単位として有するポリメタクリル酸エステルを含む塗料の塗布硬化被膜からなる第１塗装層と、水性シリコーン塗料の塗布硬化被膜からなる第２塗装層とを順次備えた塗装品。
【請求項２】前記メタクリル酸エステル構造単位がメタクリル酸メチル構造単位および／またはメタクリル酸シクロヘキシル構造単位である、請求項１に記載の塗装品。
・・・
【請求項５】前記第２塗装層の表面に、光半導体を含有する塗料の塗布硬化被膜からなる第３塗装層をも備えた請求項１から４までのいずれかに記載の塗装品。
・・・
【請求項７】前記光半導体が酸化チタンである、請求項５または６に記載の塗装品。」
　
「【０００７】そこで、本発明の課題は、塗装時の地球環境および人体への悪影響が少なく、しかも耐候性等に優れるといった上記従来のシリコーンエマルジョンコーティング材塗装品の長所を維持しながら、該塗装品と比べて、塗布する環境および基材の種類に関わらず、基材とシリコーン塗装層との密着性をより高いレベルで有する塗装品を提供することにある。
【０００８】
【課題を解決するための手段】上記課題を解決するため、本発明者らは種々検討を重ねた。その結果、水性シリコーン塗料の塗装層と基材との間に、ポリメタクリル酸エステルを含む塗料の塗装層を挟めば、上記課題が一挙に解決されることを見出し、本発明を完成するに至った。
【０００９】すなわち、本発明に係る塗装品は、基材の表面に、メタクリル酸エステル構造単位を必須構造単位として有するポリメタクリル酸エステルを含む塗料の塗布硬化被膜からなる第１塗装層と、水性シリコーン塗料の塗布硬化被膜からなる第２塗装層とを順次備える。」
　
「【００１３】ポリメタクリル酸エステルは、たとえば、・・・メタクリル酸シクロヘキシル等が挙げられる。これらの中でも、メタクリル酸メチル、メタクリル酸シクロヘキシルが、入手の容易さ、塗膜の耐水性、耐紫外線性等の点から好ましい。メタクリル酸エステル単量体は、１種のみ使用してもよいし２種以上併用してもよい。」
　
「【００１９】なお、ポリメタクリル酸エステルを含む塗料は、その市販品を入手可能である。該市販品としては、たとえば、日本特殊塗料（株）製「タフコート」（メタクリル酸シクロヘキシル系アクリル塗料）、日本特殊塗料（株）製「タフコート」（メタクリル酸メチル系アクリル塗料）等が挙げられる。・・・
〔第２塗装層および第３塗装層〕第２塗装層は、前記第１塗装層の表面に形成される必須の塗装層であり、水性シリコーン塗料の塗布硬化被膜からなる。第３塗装層は、必要に応じて第２塗装層の表面に形成され、光半導体を含有する塗料の塗布硬化被膜からなる。」
　
「【００３９】第３塗装層形成用塗料に用いられる光半導体（以下、「光半導体（Ｄ）」と記す）としては、特に限定はされないが、たとえば、酸化チタン、・・・等が、塗膜の硬化（特に常温を含む低温での硬化）を促進する効果も得られる点で好ましい。・・・これらの中でも特に酸化チタンが、その光触媒性能、硬化促進性能、安全性、入手の容易さおよびコストの面で好ましい。・・・」
　
「【０１０８】
【実施例】以下、実施例および比較例によって本発明を詳細に説明するが、本発明は下記実施例に限定されない。
＜実施例１＞アルミプレートの表面に、日本特殊塗料（株）製「タフコート」（メタクリル酸シクロヘキシル系アクリル塗料）をスプレーガンで１００ｇ／ｍ２の塗布量になるように塗布し、これを１５０℃で１０分間乾燥させることにより、塗布硬化被膜を形成させた。次いで、この塗布硬化被膜の表面に、松下電工（株）製フレッセラ水性タイプ白（仮称、水性シリコーン塗料試作品）をスプレーガンで１００ｇ／ｍ２の塗布量になるように塗布し、これを１５０℃で１０分間乾燥させることにより、塗装品を得た。
【０１０９】この塗装品を沸騰水中に１時間入れた後、塗膜の密着性を碁盤目粘着テープ剥離試験で調べた結果は１００／１００と良好だった。」
　
「【０１２０】請求項５に記載の塗装品は、前記第２塗装層の表面に、光半導体を含有する塗料の塗布硬化被膜からなる第３塗装層をも備えるため、防汚性、防曇性、抗菌性、消臭性等の、光半導体の光触媒作用に由来する種々の特性を発揮することができる。・・・」
　
　以上の記載によれば、甲第１号証には以下の発明（以下「甲１発明」という。）が記載されていると認められる。
　「基材の表面に、メタクリル酸メチル構造単位および／またはメタクリル酸シクロヘキシル構造単位である、メタクリル酸エステル構造単位を必須構造単位として有するポリメタクリル酸エステルを含む塗料の塗布硬化被膜からなる第１塗装層と、水性シリコーン塗料の塗布硬化被膜からなる第２塗装層とを順次備え、さらに前記第２塗装層の表面に、酸化チタン等の光半導体を含有する塗料の塗布硬化被膜からなる第３塗装層をも備えた塗装品。」
　
　甲第２号証（特許第３９８７２１７号公報）には、シクロヘキシル基を有するポリマーを含有する水性塗料の塗布層を少なくとも２層設け、シクロヘキシル基を有するポリマーは、シクロヘキシル基を有する(メタ）アクリル酸アルキルエステルを含む単量体組成物を乳化重合することによって調製されるものであり、シクロヘキシル基を有する(メタ）アクリル酸アルキルエステルの前記単量体組成物における含有量は、全モノマーに対し、１重量％以上が好ましく、５〜８０重量％がより好ましいことが記載されている（【請求項１】、【請求項４】、段落【００１５】、【００１７】〜【００２１】、【００４７】〜【００４８】）。
　
　甲第３号証（特開２００３−９６２６１号公報）には、全単量体成分中のシクロヘキシルアクリレートの含有量が６０重量％以上である単量体成分を重合して得られるポリマーを含む組成物を二層以上に重ね塗りする塗料が記載されている（【請求項１】、【請求項２】、段落【０００７】〜【０００８】、【００２９】、【００３７】〜【００３８】、【００４４】）。
　
　甲第４号証（特許第４８１２９０２号公報）には、光触媒機能材を含有しない、コロイダルシリカを含む防汚塗料組成物が記載されている（【請求項１】、段落【００１０】〜【００１４】）。
　
（４）判断
ア．本件発明１について
　本件発明１は、「最表層の塗膜が無機系親水性塗料からなる親水性塗膜」であることを前提に、耐温水性、耐透水性および耐候性に優れた積層塗膜を提供すること（本件特許明細書段落【０００６】参照）を課題とするものであるが、甲１発明は、塗布する環境および基材の種類に関わらず、基材とシリコーン塗装層との密着性をより高いレベルで有する塗装品を提供すること（甲第１号証段落【０００７】参照）を課題とするものであるので、本件発明１と甲１発明とは、課題が異なる。さらに、甲１発明の「酸化チタン等の光半導体を含有する塗料の塗布硬化被膜からなる第３塗装層」は、必要に応じて第２塗装層の表面に形成されるもの（甲第１号証段落【００１９】参照。また、【０１０８】の実施例１には「第３塗装層」はない。他の実施例も同様。）で、第３塗装層を設ける目的は、防汚性、防曇性、抗菌性、消臭性等の、光半導体の光触媒作用に由来する種々の特性を発揮する（甲第１号証段落【０１２０】参照）ためであって、技術的意義が異なるので、甲１発明の「酸化チタン等の光半導体を含有する塗料の塗布硬化被膜からなる第３塗装層」は、本件発明１の耐温水性、耐透水性および耐候性に優れた積層塗膜としての「最表層の塗膜が無機系親水性塗料からなる親水性塗膜」に相当するとはいえないものである。
　そうすると、甲１発明は、本件発明１の前提である「最表層の塗膜が無機系親水性塗料からなる親水性塗膜」との構成を欠く。
　また、甲第２号証及び甲第３号証には、「最表層の塗膜が無機系親水性塗料からなる親水性塗膜」に相当する構成は、記載されていない。
　甲第４号証のコロイダルシリカを含む防汚塗料組成物は、光触媒機能材を含有しないものであるので、甲１発明の「酸化チタン等の光半導体（光触媒機能材）を含有する塗料の塗布硬化被膜第３塗装層」に、甲第４号証に記載された事項を適用しようとする動機付けが見出せない。
　よって、本件発明１は、甲１発明、甲２記載事項、及び甲３、甲４記載の周知技術から当業者が容易に発明をすることができたものではない。
　
イ．本件発明２について
　本件発明２は、本件発明１を製造方法で表したもので、ア．の本件発明１と同様の理由により、本件発明２は、甲１発明、甲２記載事項、及び甲３、甲４記載の周知技術から当業者が容易に発明をすることができたものではない。
　
ウ．むすび
　以上のとおりであるから、取消理由によっては、本件発明１及び２に係る特許を取り消すことはできない。
　また、他に本件発明１及び２に係る特許を取り消すべき理由を発見しない。
　よって、結論のとおり決定する。
【異議決定日】
平成２８年９月１４日（２０１６．９．１４）
【訂正の要旨】
審決（決定）の【理由】欄参照。
（５７）【特許請求の範囲】
　【請求項１】
　少なくとも３層の塗膜を有する積層塗膜であって、最表層の塗膜が
無機系親水性塗料からなる
重合体を含有し、当該重合体が
であ
　【請求項２】
　少なくとも３層の塗膜を有する積層塗膜の製造方法であって、
塗膜に含有される重合体が、
であ
無機系親水性塗料からなる